(57)【特許請求の範囲】
【請求項１】
材質がポリエステル系樹脂であって、テーパーされていない状態の直径が０．１〜０．２ｍｍ、テーパーの長さが４〜８ｍｍ、テーパー先端の直径が０．０１〜０．０３ｍｍである針状毛と、テーパー先端の直径が０．０３〜０．０８ｍｍである針状毛を併存させる、全長が１３〜１８ｍｍである、一側の毛先のみがテーパー状に先鋭化された針状毛（６０）のテーパーされた部分（ｔ）が歯ブラシ本体のヘッド部において外部に向かうように植毛され、針状毛（６０）のテーパーされていない部分（ｎ）は熱融着されて歯ブラシヘッド部の内部に固定され、植毛された針状毛の高さが７〜１３ｍｍであることを特徴とする歯ブラシ。
【請求項２】
一側の毛先だけテーパー状に先鋭化された針状毛は、ヘッドインサートに形成された通孔に収容された後に熱溶着により固定されたことを特徴とする請求項１に記載の歯ブラシ。
【請求項３】
一側の毛先だけテーパー状に先鋭化された針状毛が固定されたヘッドインサートは、歯ブラシ本体のヘッド部に形成されたヘッドインサート安着部に挿入された後に超音波接着されたことを特徴とする請求項２に記載の歯ブラシ。
【請求項４】
一側の毛先だけテーパー状に先鋭化された針状毛は、長さの偏差が１〜１０ｍｍであるものが混合されたことを特徴とする請求項１に記載の歯ブラシ。
【発明の詳細な説明】
【技術分野】
【０００１】
本発明は針状毛が植毛された歯ブラシに係り、より詳細には、 一側の毛先にはテーパーが形成されて他側の毛先にはテーパーが形成されなく、長さが13〜18mmである針状毛が植毛された歯ブラシに関する。
【背景技術】
【０００２】
歯垢の除去効果を高めて歯ブラシ使用中における歯茎の損傷を避けるため、毛の先端にテーパーが形成された毛が植毛された歯ブラシが開発されて以来、最近ではこのような形態の歯ブラシはその有効性が立証されて大衆化されている。
例えば、図１Ａ及び図１Ｂのように、一側の毛先は針状ｔであり、他側の毛先は非針状ｎである28〜33mmの長さの毛を、針状を有する先端部が非針状である毛端より突出する様に折り曲げて、その折り曲げた部分を切断されたワイヤを利用して歯ブラシのヘッド部に形成されている固定ホールに押し入れて毛を固定させる方法が日本公開実用新案公報昭61-10495号に開示されている。
また、図２のように、テーパーの長さが4〜8mmであり、全体の長さが28〜33mmである両端がテーパーされた針状毛の略中央部を折り曲げて前記のような方法により植毛する方法が日本公開実用新案公報平5-15834号に開示されている。
また、図３のように、両端がテーパーされた針状毛を植毛するが、植毛された通常の毛より1〜10mm範囲内で長い突出部６２が一つ以上形成されるようにする技術が本発明の発明者により大韓民国特許第311360号として特許されている。
前記技術は共通的に従来のテーパーが形成されなかった一般毛が植毛された歯ブラシに比して歯垢の除去効果が優れるだけではなく、 歯茎の損傷を防止する効果がある。
【０００３】
【特許文献１】日本公開実用新案公報昭61-10495号
【特許文献２】日本公開実用新案公報平5-15834号
【特許文献３】大韓民国特許第311360号
【発明の開示】
【発明が解決しようとする課題】
【０００４】
しかし、 従来の技術は製造工程が複雑で不良率が高いことにより製造原価が高くなる問題点があった。
すなわち、(１)ポリエステル系の一般毛を針状で製造するためには毛の先端を苛性ソーダや硫酸のような薬品により処理して溶ける必要があるが、この過程において正確に毛の全体の長さとテーパーの長さを調節することが難しく、不良が多量発生し、(２)特に、両端にテーパーが形成された針状毛が植毛された歯ブラシの場合、針状毛を製造するためには両端を上述の方法により処理する必要があるが、もし、一端が成功的に処理されても他端に不良が発生する場合には毛全体が不良となり、(３)また、長さ調節に失敗した不良毛を適切に活用できる方法がなかった。
また、 図４のように、前記技術は植毛された歯ブラシ用毛の模様が全て単純であり、歯ブラシ用毛の略中央部を折り曲げてワイヤを利用して固定ホール１０に折り入れる方式で歯ブラシ用毛を固定するため、堅固に固定されなくて植毛された毛が歯ブラシから離脱する問題点があった。
【０００５】
したがって、本発明は従来の問題点を解決するため案出されたもので、本発明の第１の目的は、製造工程が簡単で不良率が減少された針状毛が植毛された歯ブラシを提供することにある。
本発明の第２の目的は、長さ調節に失敗した不良毛を歯ブラシの製造に利用できる方法を提供することにある。
本発明の第３の目的は、歯ブラシ用毛を歯ブラシに一層堅固に固定できる方法を提供することにある。
本発明の第４の目的は、植毛される毛のパターンと毛の数量を自由に調節できる方法を提供することにある。
【課題を解決するための手段】
【０００６】
前述した目的を達成するための本発明による歯ブラシは、歯ブラシ用毛の材質はポリエステル系樹脂であり、全体の長さが13〜18mmであり、一端には4〜8mmの長さでテーパーが形成されて他端にはテーパーが形成されなかった針状毛が植毛される。
また、本発明の歯ブラシは、一側の毛先にテーパーが形成された針状毛において、テーパーが形成されなかった部分を植毛される模様の通孔を有した剛毛ホールダーに押し入れて、この剛毛ホールダーの底部を熱溶着させることにより針状毛を剛毛ホールダーに固定させた後、この剛毛ホールダーを歯ブラシ本体のヘッド部に接着させて形成する。
【発明の効果】
【０００７】
上述したように本発明による歯ブラシは、従来の両端がテーパーされた針状毛が植毛された歯ブラシとは相違し、一側の毛先だけテーパーが形成された歯ブラシ用毛を使用することにより不良率が大幅減少して、製造原価も３０％以上低下される。
また、植毛される毛のパターンと数量を自由に調節できることにより、口腔の構造上、従来の歯ブラシでは容易に清掃ができなかった部分も歯ブラシ用毛が容易に到達して清掃でき、歯ブラシ用毛の固定においてもワイヤを使用することではなく熱溶着方法を使用することにより一層強く固定できる。また、長さ調節に失敗した不良針状毛も相当な部分正常に使用できる。
【発明を実施するための最良の形態】
【０００８】
以下、本発明の好適な実施の形態について図面を参照して詳細に説明する。
図５は本発明に使用される針状毛６０として、全体の長さが13〜18mmであり、テーパーの長さは4〜8mmである。従来の両端にテーパーが形成された針状毛に比して長さは約１/２で、テーパーの長さは同一であり、一側の毛先だけテーパーが形成されている点が違う。また、一側の毛先だけテーパーが形成されることによりテーパーを形成させる過程で発生する不良率が相対的に遥かに低い。
全体の長さが13〜18mmである針状毛が植毛される場合、5〜6mm程度は歯ブラシ本体のヘッド部に挿入されるため歯ブラシ本体の表面からの高さは7〜13mm程度になる。
テーパー先端の直径は0.01〜0.08mmであり、毛が歯の隙間又は歯茎ポケット内へ容易に接触するためには0.01〜0.03mm、歯表面の洗浄力を増加させるためには0.03〜0.08mmであるものを使用することが好ましい。また、二つの特性を完備させるためには前記二種類の針状毛を混合して植毛するか、又は後述するように植毛した後にサンドペーパーで研削加工する方法がある。
針状毛の材質はポリエステル樹脂、より具体的には、PET又はPBT樹脂などが好ましい。その理由は、ナイロン、アクリル、PP樹脂などの材質は耐水性、耐磨耗性、耐久性等が多少不足であるだけではなく、非針状毛を強酸又は強アルカリ溶液に浸漬させてテーパーを形成することは作業性が低下される問題点がある。
【０００９】
図６は前記のような針状毛６０が円筒形のプラスチック容器６１に垂直方向に積載された状態を示している。図６のように積載された針状毛６０は、図７のような形態の一次剛毛ホールダー２０に収容された後、図８のような二次剛毛ホールダー３０へ移送されて、更に図９のようなヘッドインサート５０へ移送される。一次剛毛ホールダー２０と二次剛毛ホールダー３０及びヘッドインサート５０は同一な形態の通孔２１を有する。但し、一次剛毛ホールダー２０及び二次剛毛ホールダー３０の材質は金属であり、ヘッドインサート５０の材質はプラスチックが適合であるが金属も可能である。
一次剛毛ホールダー２０及び二次剛毛ホールダー３０は、針状毛６０をヘッドインサート５０に伝達する役割を実行するものであるから耐久性が優れた金属材質を使用し、ヘッドインサート５０は針状毛６０が植毛された状態で歯ブラシ本体７０と結合するものであるのでプラスチック材質を使用する。
針状毛６０が一次剛毛ホールダー２０に収容される過程は、一次剛毛ホールダー２０に形成された通孔２１と凹凸結合できる形態の挿入棒４１を具備した押し板４０(図１０参照)が積載された針状毛６０を一次剛毛ホールダー２０方向へ押し上げることにより収容される。
【００１０】
また、図１１に図示されるように、一次剛毛ホールダー２０から二次剛毛ホールダー３０へ針状毛６０が収容される過程は、針状毛６０を収容した一次剛毛ホールダー２０と二次剛毛ホールダー３０及びヘッドインサート５０に形成された通孔２１が一致するように互いに接触された状態で押し板４０が一次剛毛ホールダー２０の針状毛６０を二次剛毛ホールダー３０及びヘッドインサート５０側へ押し出すことによりヘッドインサート５０に収容される。この場合、針状毛のテーパーが形成されなかった部分ｎが上向するようになる。
【００１１】
図１２に図示されるように、ヘッドインサート５０に針状毛６０が収容された状態でヘッドインサート５０から突出された針状毛６０は熱溶着される。これを通じて針状毛６０とヘッドインサート５０は強く結合される。
この過程において、針状毛６０の長さ調節が多少可能である。すなわち、短い針状毛６０はヘッドインサート５０から突出された部分の長さが比較的に短い状態(1mm以内)で、長い針状毛６０はヘッドインサート５０から比較的に長く(約3mm程度)突出されるようにした状態で各々熱溶着できる。また、一層長い針状毛は前述した方法を採用すると同時に、熱溶着後に針状毛の先端を切断してサンドペーパーにより研削加工することにより適切に除去できる。したがって、使用可能な針状毛の長さ範囲は一層広くなる。
植毛された毛の長さが一定しない場合にも、長さが長い毛の先端を切断した後にサンドペーパーにより研削加工することにより長さ及び先端の直径が調節でき、このようにすれば、毛端の直径が0.01〜0.03mmであるものと0.03〜0.08mmであるものが共存するようになって、上述のように歯の隙間及び歯茎ポケット内への接触が容易になり、歯の表面に対する優れた清浄特性も同時に具備できるようになる。
【００１２】
歯茎ポケット内への接触能力を一層向上させるためには、一側の毛先だけテーパーが形成された針状毛の長さを1〜10mmの差が発生するように偏差植毛することもできる。すなわち、長い毛と短い毛の差が1〜10mmになるように混合して植毛すると、相対的に長い毛が歯の隙間又は歯茎ポケット内への接触が容易になる。
針状毛６０が固定されたヘッドインサート５０は歯ブラシ本体７０のヘッド部へ移送されて歯ブラシ本体７０と接着される。接着方法は接着剤によりも可能であり、超音波又は高周波接着も可能である。
【００１３】
生産効率を考慮すると、超音波又は高周波接着が一層好ましい。この場合、歯ブラシ本体７０のヘッド部には、図１３のようにヘッドインサート５０が挿入されるヘッドインサート安着部５１を形成することが好ましい。接着が完了された歯ブラシの形態は図１４のとおりである。
針状毛６０が固定されたヘッドインサート５０を歯ブラシ本体７０に固定させる他の方法としては、図１５のように、上部金型８０にヘッドインサート５０の底面が接着されて装着された状態で、上部金型８０と下部金型９０を結合させた後、下部金型９０に形成された注ぎ口９１へ樹脂を注ぐことにより歯ブラシ本体７０のヘッド部と柄部が一体化されるとともに、ヘッドインサート５０が歯ブラシ本体７０のヘッド部に強く結合される。このような固定方法の利点は、超音波又は高周波接着方法に比して相違な形態のヘッド部と柄部の金型を利用して多様な形態の歯ブラシを同時に生産でき、生産効率が高く接着部分に凹溝が発生しなくて異物が詰まることが防止できるだけではなく、歯ブラシ本体７０のヘッド部の厚さを減少させることができることにより容易で効果的に歯を磨くことが可能である。
針状毛６０を歯ブラシ本体７０に植毛する他の方法としては、図１６のように、歯ブラシ用毛のテーパーが形成されなかった部分ｎを通孔が形成されている下部金型９０に2〜5mm程度突出されるように挿入した後、この突出部を加熱して溶融させた後に上部金型(図示せず)を結合して樹脂を注いで針状毛６０が直接歯ブラシ本体７０に結合されるようにする方法がある。この方法を利用して植毛された歯ブラシも歯ブラシ本体７０のヘッド部と柄部が一体化されるとともに、生産効率が高く接着部に凹溝が発生しなくて異物が詰まることが防止できるだけではなく、歯ブラシ本体７０のヘッド部の厚さも減少する効果がある。
【図面の簡単な説明】
【００１４】
【図１Ａ】従来の一側の毛先は針状であり、他側の毛先は針状ではない28〜33mm長さの歯ブラシ用毛が植毛される前に、略中央部を折り曲げた状態を示す側面図
【図１Ｂ】従来の図１Ａの毛が歯ブラシ本体に植毛された状態を示す部分拡大図
【図２】テーパー長さが4〜8mmであり、全体長さが28〜33mmである両端がテーパー状の針状毛が植毛される前に、 略中央部を折り曲げた状態を示す側面図
【図３】従来の植毛された通常の毛より長さが1〜10mm範囲内で一層長い突出部が形成された両端がテーパー状の針状毛が植毛された歯ブラシの概略図
【図４】従来の針状毛が植毛されたパターンを示す平面図
【図５】本発明で使用される一側の毛先がテーパーされた針状毛の側面図
【図６】図５の針状毛が円筒形の容器に垂直方向へ積載された状態を示す斜視図
【図７】本発明の歯ブラシを製造することに使用される一次剛毛ホールダーの側断面図
【図８】本発明の歯ブラシを製造することに使用される二次剛毛ホールダーの側断面図
【図９】本発明の歯ブラシを製造することに使用されるヘッドインサートの側断面図
【図１０】一次剛毛ホールダーに形成された通孔と凹凸結合できる形態の挿入棒を具備して押し板の側面図
【図１１】一次剛毛ホールダーに収容された針状毛が二次剛毛ホールダー及びヘッドインサートへ移転される状態を示す状態図
【図１２】ヘッドインサートに収容された針状毛が熱溶着された状態を示す状態図
【図１３】ヘッドインサートが結合される前の歯ブラシ本体の斜視図
【図１４】一側の毛先だけテーパー状の針状毛が植毛された歯ブラシの斜視図
【図１５】ヘッドインサートが射出成型により歯ブラシ本体に結合されること示す状態図
【図１６】一側の毛先だけテーパー状の針状毛が加熱により部分的に溶融された状態示す状態図
【符号の説明】
【００１５】
ｔ : 歯ブラシ用毛のテーパー状の部分
ｎ : 歯ブラシ用毛のテーパー状のない部分
１０ : 固定ホール
２０ : 一次剛毛ホールダー
２１ : 通孔
３０ : 二次剛毛ホールダー
４０ : 押し板
４１ : 挿入棒
５０ : ヘッドインサート
６０ : 針状毛
６１ : プラスチック容器
６２ : 突出部
７０ : 歯ブラシ本体
８０ : 上部金型
９０ : 下部金型
９１ : 注ぎ口
【図１Ａ】
0005137471.tif 000002
【図１Ｂ】
0005137471.tif 000003
【図２】
0005137471.tif 000004
【図３】
0005137471.tif 000005
【図４】
0005137471.tif 000006
【図５】
0005137471.tif 000007
【図６】
0005137471.tif 000008
【図７】
0005137471.tif 000009
【図８】
0005137471.tif 000010
【図９】
0005137471.tif 000011
【図１０】
0005137471.tif 000012
【図１１】
0005137471.tif 000013
【図１２】
0005137471.tif 000014
【図１３】
0005137471.tif 000015
【図１４】
0005137471.tif 000016
【図１５】
0005137471.tif 000017
【図１６】
0005137471.tif 000018